(57)【要約】【課題】      蓋体で本体の開口部を閉じるとき、閉じ易い釣用バックを提供することである。【解決手段】  本体１の内側には略直方体状の内壁３が固定され、内壁３は上側に突出して立ち上がり部３ａとなって上側は開口部１ｃとなっている。  蓋体４の後ろ側にはヒンジ部が一体に形成されてヒンジ部と対向する内壁３の前側の立ち上がり部３ａの両側の角部ａには切欠きでへこみ３ｃが形成されている。  内壁３の前側の立ち上がり部３ａの角部ａに切欠きでへこみ３ｃが形成されていると、蓋体４が閉じられた時、スカ−ト部４ｂの内側と立ち上がり部３ａの外側が当たっても、立ち上がり部３ａの外側角部ａが切欠きでへこみ３ｃとなっているので当たらずに蓋体４を閉じることが出来る。【選択図】        図１
2008136406.tif 000002
【特許請求の範囲】
【請求項１】
本体と本体の開口部を閉塞する蓋体を有する釣用バックにおいて、蓋体は本体の開口部外側を覆うスカ−ト部を有し、本体の開口部の角部に前記スカ−ト部との引っ掛かりを避けるへこみを形成したことを特徴とする釣用バック。
【請求項２】
前記へこみは開口部の角部に設けた切欠きであることを特徴とする請求項１記載の釣用バック。
【請求項３】
前記へこみは開口部の角部が内側にへこんでいることを特徴とする請求項１記載の釣用バック。
【発明の詳細な説明】
【技術分野】
【０００１】
本発明は、本体の開口部をスカ−ト部を有する蓋体で閉塞し、本体の開口部の外側を蓋体のスカ−ト部で覆う構造の釣用バックの改良に関する。
【背景技術】
【０００２】
従来特許文献１のように、本体の開口部の内側に立ち上がり部を有してその立ち上がり部の外側を蓋体のスカ−ト部で覆う構造の釣用バックがある。
この構造の釣用バックでは、蓋体で本体の開口部を閉じるとき、本体と蓋体のヒンジ部とは反対側のスカ−ト部の内側に立ち上がり部が引っ掛かって蓋体が閉じ難かった。
【特許文献１】特開２００２−８４９５３号公報
【発明の開示】
【発明が解決しようとする課題】
【０００３】
解決しようとする問題点は、本体の開口部をスカ−ト部を有する蓋体で閉塞し、本体の開口部の外側を蓋体のスカ−ト部で覆う構造の釣用バックでは、蓋体で本体の開口部を閉じるとき、閉じ難いことである。
【０００４】
本発明の目的は前記欠点に鑑み、蓋体で本体の開口部を閉じるとき、閉じ易い釣用バックを提供することである。
【課題を解決するための手段】
【０００５】
本発明の請求項１は、本体と本体の開口部を閉塞する蓋体を有する釣用バックにおいて、蓋体は本体の開口部外側を覆うスカ−ト部を有し、本体の開口部の角部に前記スカ−ト部との引っ掛かりを避けるへこみを形成したことを要旨とするものである。
本発明の請求項２は、前記へこみは開口部の角部に設けた切欠きであることを要旨とするものである。
本発明の請求項３は、前記へこみは開口部の角部が内側にへこんでいることを要旨とするものである。
【発明の効果】
【０００６】
本発明により、本体の開口部の角部にへこみが形成されていると、蓋体が閉じられた時、スカ−ト部の内側が当たっても、開口部の角部に引っ掛からずスム−ズに蓋体で本体の開口部を閉じることが出来る。
【発明を実施するための最良の形態】
【０００７】
本体１の開口部１ｃには略直方体状の内壁３が設けられている。
内壁３は開口部１ｃにて上側に突出して立ち上がり部３ａとなっている。
蓋体４の後ろ側にはヒンジ部４ｃが一体に形成されてスライダ−チャック５を挟んで本体１の開口縁側の端部１ｄに重ねて固定されている。
ヒンジ部４ｃと対向する内壁３の前側の立ち上がり部３ａの両側の角部ａには図１の（ａ）、（ｂ）のように切欠きでへこみ３ｃが形成されている。
ヒンジ部４ｃと対向する内壁３の前側の立ち上がり部３ａの両側の角部ａに切欠きでへこみ３ｃが形成されていると、蓋体４が閉じられた時、スカ−ト部４ｂの内側と立ち上がり部３ａの外側が当たっても、立ち上がり部３ａの外側角部ａが切欠きでへこみ３ｃとなっているので当たらずに蓋体４を閉じることが出来る。
【実施例１】
【０００８】
以下、図示の実施例によって本発明を説明すると、図１、図２は第１実施例で、図１は釣用バックの斜視図と（ａ）、（ｂ）は夫々要部拡大斜視図、図２は釣用バックの断面側面図である。
【０００９】
釣用バックは、本体１が柔軟性を有する合成樹脂シ−トで形成された側部１ａと柔軟性を有する合成樹脂で形成された底部１ｂが一体的に高周波加熱処理の溶着接合で略直方体状のバック体に形成されたり、金型で略直方体状のバック体に形成されて、上方に開口部１ｃを有する本体１とされている。
合成樹脂材料は、ＥＶＡ（エチレン酢酸ビニ−ル）、ＰＶＣ（ポリ塩化ビニ−ル）、ＰＥ（ポリエチレン）等防水性を有する材料が使用されている。
本体１の開口部１ｃはフレ−ム２を巻き込んで外側に折り返されて本体１の開口部１ｃ近傍の外側のＡ部で溶着されると共に開口縁側の端部１ｄが外側に突出されている。
本体１の内側には略直方体状の内壁３が固定されている。
内壁３の上側は本体１の上側に突出して立ち上がり部３ａとなって上側に開口部１ｃを形成している。
内壁３は合成樹脂材の板で形成されてもよいし、合成樹脂材の板の外側に綿などの天然素材、ナイロンなどの合成樹脂繊維の織布、塩化ビニ−ル、エチレン酢酸ビニ−ル等の合成樹脂シ−ト材で覆ってもよい。
本体１の側部１ａには肩掛けバンド１０が取り付けられる。
本体１の内側には仕切り板を設けて区分してもよい。
区分の大きさは随時変更が可能に構成してもよい。
【００１０】
本体１の開口部１ｃは蓋体４で閉じられる。
蓋体４は合成樹脂材で形成されて本体１の開口部１ｃの形状に合致する矩形の天板部４ａと天板部４ａの周囲から下方に垂下するように設けたスカ−ト部４ｂを有している。
スカ−ト部４ｂは立ち上がり部３ａを覆うように形成されている。
蓋体４の後ろ側にはヒンジ部４ｃが一体に形成されてスライダ−チャック５を挟んで本体１の開口縁側の端部１ｄに重ねて固定され、このヒンジ部４ｃによって蓋体４が本体１に取り付けられ、ヒンジ部４ｃが折曲されることで開口部１ｃを開閉可能に閉塞している。
本体１の周囲の開口縁側の端部１ｄと蓋体４のスカ−ト部４ｂの端の内側にスライダ−チャック５が固定されている。
【００１１】
開口部１ｃは本体１に合致し上方から見て矩形に形成されているため角部ａを有している。
ヒンジ部４ｃと対向する内壁３の前側の立ち上がり部３ａの両側の角部ａには図１の（ａ）、（ｂ）のように切欠きでへこみ３ｃが形成されている。
ヒンジ部４ｃと対向する内壁３の前側の立ち上がり部３ａの両側の角部ａに切欠きで下方に窪んだへこみ３ｃが形成されていると、蓋体４が閉じられた時、スカ−ト部４ｂの内側と立ち上がり部３ａの外側が当たっても、立ち上がり部３ａの外側角部ａは切欠きでへこみ３ｃとなっているので引っ掛かりにくくなっており、角部ａが蓋体４の開閉を規制しないため蓋体４を容易に閉じることが出来る。
【００１２】
前記のように釣用バックが構成されると、ヒンジ部４ｃと対向する本体１の内壁３の前側の立ち上がり部３ａの角部ａに切欠きでへこみ３ｃが形成されていると、蓋体４が閉じられた時、立ち上がり部３ａの外側角部ａは切欠きでへこみ３ｃとなっているので、蓋体４に角部ａが引っ掛からずに蓋体４の自重で、または軽く押圧するだけで蓋体４のスカ−ト部４ｂが開口部１ｃの外側（立ち上がり部３ａの外側）を覆ってスム−ズに蓋体４で本体１の開口部１ｃを閉じることが出来る。
【実施例２】
【００１３】
図３から図５は第２実施例で、図３は釣用バックの斜視図と（ａ）、（ｂ）は夫々要部拡大斜視図、図４は釣用バックの断面側面図、図５は釣用バックの蓋体を開いた本体と蓋体の平面図と要部拡大平面図である。
【００１４】
第２実施例では、本体１が柔軟性を有する合成樹脂シ−トで形成された側部１ａと柔軟性を有する合成樹脂で形成された底部１ｂが一体的に高周波加熱処理の溶着接合で略直方体状のバック体に接合されたり、金型で略直方体状のバック体に形成されている。
合成樹脂材料は、ＥＶＡ（エチレン酢酸ビニ−ル）、ＰＶＣ（ポリ塩化ビニ−ル）、ＰＥ（ポリエチレン）等防水性を有する材料が使用されている。
本体１の開口縁は外側に折り曲げられて開口縁側の端部１ｄが外側に突出されている。
本体１の上側の内側には略直方体状の内壁３′が固定されている。
内壁３′は柔軟性を有する合成樹脂シ−トで形成されて開口部１ｃはフレ−ム２を巻き込んでＡ部で溶着されている。
内壁３′の本体１の上側に突出して立ち上がり部３ｄとなってこの上端が開口部１ｃとなっている。
【００１５】
ヒンジ部４ｃと対向する内壁３′の前側の立ち上がり部３ｄの両側の角部ａには図３の（ａ）、（ｂ）のようにフレ−ム２ごと開口部１ｃの内側にへこまされたへこみ３ｅが形成されている。
ヒンジ部４ｃと対向する内壁３′の前側の立ち上がり部３ｄの両側の角部ａにフレ−ム２ごと内側にへこまされたへこみ３ｅが形成されていると、蓋体４が閉じられた時、スカ−ト部４ｂの内側と立ち上がり部３ｄの外側が当たっても、立ち上がり部３ｄの外側角部ａが内側にへこまされたへこみ３ｅとなっているので引っ掛からずに蓋体４を閉じることが出来る。
内壁３′は合成樹脂材の板で形成して、へこみ３ｅを熱変形で開口部１ｃの内側にへこませて形成してもよい。
他の構成は前記第１実施例と略同一である。
なお、へこみ３ｅは開口部１ｃの内側に向けて湾曲するように形成したが、角部ａを上方になるにしたがって開口部１ｃの内側方向に向かって傾斜状に形成することで蓋体４に引っ掛からないように形成してもよい。
【産業上の利用可能性】
【００１６】
本発明は釣用バックの全般に利用できる。
【図面の簡単な説明】
【００１７】
【図１】第１実施例で、釣用バックの斜視図と（ａ）、（ｂ）は夫々要部拡大斜視図である。
【図２】同釣用バックの断面側面図である。
【図３】第２実施例で、釣用バックの斜視図と（ａ）、（ｂ）は夫々要部拡大斜視図である。
【図４】同釣用バックの断面側面図である。
【図５】同釣用バックの蓋体を開いた本体と蓋体の平面図と要部拡大平面図である。
【符号の説明】
【００１８】
１  本体
１ｃ  開口部
３ａ  立ち上がり部
３ｃ、３ｅ  へこみ
４  蓋体
４ｂ  スカ−ト部
ａ  角部
【図１】
2008136406.tif 000003
【図２】
2008136406.tif 000004
【図３】
2008136406.tif 000005
【図４】
2008136406.tif 000006
【図５】
2008136406.tif 000007